(57)【要約】【課題】  地中式清掃工場の火災発生時の作業員の避難、消火に当たる消防隊員を支援する防災総合システムを提供する。【解決手段】  プラント監視盤１１と、映像制御盤２１と、要員の携帯するＰＨＳと基地局との通信を通じて現在位置を特定する位置監視盤３１と、火災報知設備や防排煙設備等を監視制御する防災監視盤４１と、小型カメラと表示画面を有する保全用情報端末５２と、プラント監視盤１１からの非常用設備の稼動情報、位置監視盤３１からの位置情報、防災監視盤４１からの防災情報をそれぞれ受信し、予め用意された前記工場の図面情報と共にＣＲＴ表示部６３に表示する防災総合表示盤６１とを備え、防災総合表示盤６１は、保全用情報端末５２からの要求に基づく図面情報を表示画面に表示させ、保全用情報端末５２の小型カメラの映像情報、映像制御盤２１からの映像情報をＣＲＴ表示部６３に表示する。【選択図】        図１
2005115796.tif 000002
【特許請求の範囲】
【請求項１】
地中式建物に設置された各種設備を監視制御し、その各種設備のうち所定設備の稼動情報を出力する設備監視盤と、
地中式建物に点在する要員の携帯端末との通信を通じて当該要員の現在位置を特定し、その位置情報を出力する位置監視盤と、
地中式建物に設置された火災報知設備を監視制御すると共に、消火設備或いは防排煙設備の何れか、又はこれら設備を監視制御し、前記火災報知設備の報知に対する防災処理情報を出力する防災監視盤と、
地中式建物の図面をデータとして有し、前記防災監視盤からの防災処理情報を検知したとき、警報発生地区の図面を表示画面に表示すると共に、前記の所定設備、火災報知設備、消火設備及び防排煙設備のうち前記図面上に配置すべく各設備をそれぞれ識別可能に表示し、かつ、表示画面の図面上に前記防災処理情報及び前記稼動情報を表示して状況が判別できるようにし、また、位置監視盤からの位置情報に基づいて表示画面の図面上に要員の現在位置を表示する防災総合表示盤と
を備えたことを特徴とする防災総合システム。
【請求項２】
地中式建物の各部に設置された監視カメラの映像を受信する映像制御盤を備え、
前記防災総合表示盤は、表示画面に前記図面を表示した際、その図面上に配置すべく監視カメラを表示し、所定の操作により監視カメラが選択されたときは、前記映像制御盤を通じて当該監視カメラの映像を表示画面に表示することを特徴とする請求項１記載の防災総合システム。
【請求項３】
小型カメラ及びディスプレイを有する携帯用の保全用情報端末を備え、
前記防災総合表示盤は、その保全用情報端末からの要求に基づく図面のデータ又は表示画面上の図面を前記ディスプレイ上に表示させ、前記保全用情報端末の小型カメラの映像を表示画面に表示することを特徴とする請求項１又は２記載の防災総合システム。
【請求項４】
前記防災総合表示盤は、地中式建物内に防火区画された中央制御室に設けられていることを特徴とする請求項１乃至３の何れかに記載の防災総合システム。
【発明の詳細な説明】
【技術分野】
【０００１】
本発明は、例えば、地中式清掃工場における防災に係わり、さらに詳しくは、消防隊員による消火や救助等の防災活動を後方から支援する防災総合システムに関するものである。
【背景技術】
【０００２】
従来の防災システムは、ＣＲＴ表示部を備えた表示装置と、この表示装置に接続された火災受信機と、信号線を介して火災受信機に接続された火災感知器、発信機、地区音響装置、防排煙装置等の端末機器とから構成されている。その端末機器の火災感知器から警報が発せられた場合、表示装置は、地区音響装置を鳴動し、警報発生地区の平面図をＣＲＴ表示部に自動映出し、その平面図上に配置された複数のシンボルのうち、警報を発した端末機器のシンボルの色変えの点滅をし、この時、その画面上にウィンドウを開いて、火災に対する処置の概要をガイダンス表示する。また、本システムは、ＣＲＴ表示部の所定エリアに出火階を文字情報で表示したり、出火階の直上階や直下階の平面図画面をスイッチで切り換えることができるようになっている（例えば、特許文献１参照）。
【０００３】
【特許文献１】特開２０００−１３７８７９号公報（第３頁−５頁、図１、図９）
【発明の開示】
【発明が解決しようとする課題】
【０００４】
ところで、近年、市街地の広がりや社会的な環境意識の高まりから、従来型の地上式清掃工場の立地確保が難しくなってきたため、山岳地や丘陵地の斜面の地下空間を利用した地中式清掃工場の計画が進められている。この地中式清掃工場は、例えば、地中式廃棄物ガス化溶融機械システムを用いた縦型方式（縦坑式）と横型方式（横坑式）とがあり、機械設備のコンパクト化や遊休、メンテナンス空間の合理化により、工場全体が圧縮されて機械設備の配置密度が高く、密閉性のある構造となる。
【０００５】
しかしながら、防災面で従来型の地上式清掃工場と比べると、外部へ通じる避難経路や避難方法が制限され、また、工場内部の火災の拡大状況等を外部から把握することが難しくなり、火災時に熱や煙が短時間で高温、高濃度となって被害が拡大する可能性がある。このため、前述した従来の防災システムだけでは、万一、地中施設内で火災が発生した場合、構内の作業員の避難が困難となる恐れがあり、また、自衛消防隊による火災確認、初期消火の活動や、避難誘導、また公設消防隊による消火や救助活動も困難かつ危険となる恐れがある。
【０００６】
本発明は、かかる課題を解決するためになされたもので、火災発生時に構内に点在する作業員の避難や、火災拡大状況の確認を容易にでき、また、消火や救助活動に当たる消防隊員の位置をリアルタイムで把握して、消火活動を後方から支援可能な防災総合システムを提供することを目的とする。
【課題を解決するための手段】
【０００７】
（１）本発明に係る防災総合システムは、地中式建物に設置された各種設備を監視制御し、その各種設備のうち所定設備の稼動情報を出力する設備監視盤と、地中式建物に点在する要員の携帯端末との通信を通じてその要員の現在位置を特定し、その位置情報を出力する位置監視盤と、地中式建物に設置された少なくとも火災報知設備、消火設備及び防排煙設備を監視制御し、火災報知設備の報知に対する防災処理情報を出力する防災監視盤と、地中式建物の図面をデータとして有し、防災監視盤からの防災処理情報を検知したとき、警報発生地区の図面を表示画面に表示すると共に、前記の所定設備、火災報知設備、消火設備及び防排煙設備のうちその図面上に配置すべく各設備をそれぞれ識別可能に表示し、かつ、表示画面の図面上に防災処理情報及び稼動情報を表示して状況が判別できるようにし、また、位置監視盤からの位置情報に基づいて表示画面の図面上に要員の現在位置を表示する防災総合表示盤とを備えたものである。
【０００８】
（２）本発明に係る防災総合システムは、前記（１）において、地中式建物の各部に設置された監視カメラの映像を受信する映像制御盤を備え、防災総合表示盤は、表示画面に前記図面を表示した際、その図面上に配置すべく監視カメラを表示し、所定の操作により監視カメラが選択されたときは、映像制御盤を通じてその監視カメラの映像を表示画面に表示するようにしたものである。
【０００９】
（３）本発明に係る防災総合システムは、前記（１）又は（２）において、小型カメラ及びディスプレイを有する携帯用の保全用情報端末を備え、防災総合表示盤は、その保全用情報端末からの要求に基づく図面のデータ又は表示画面上の図面をディスプレイ上に表示させ、保全用情報端末の小型カメラの映像を表示画面に表示するようにしたものである。
【００１０】
（４）本発明に係る防災総合システムは、前記（１）乃至（３）の何れかにおいて、防災総合表示盤は、地中式建物内に防火区画された中央制御室に設けられたものである。
【発明の効果】
【００１１】
（１）本発明によれば、防災監視盤からの防災処理情報を検知したとき、警報発生地区の図面を表示画面に表示すると共に、地中式建物の所定設備、火災報知設備、消火設備及び防排煙設備のうちその図面上に配置すべく各設備をそれぞれ識別可能に表示し、かつ、表示画面の図面上に防災処理情報及び稼動情報を表示して状況が判別できるようにし、また、位置監視盤からの位置情報に基づいて表示画面の図面上に要員の現在位置を表示するようにしたので、火災発生時の建物内の所定設備の稼動状況が容易に判別でき、また、作業員の避難状況が確認でき、安全な避難誘導を行うことが可能になる。
【００１２】
（２）本発明によれば、監視カメラの映像を防災総合表示盤の表示画面に表示できるようにしたので、作業員の安全な避難経路を確認することができる。
【００１３】
（３）本発明によれば、保全用情報端末からの要求に基づく図面のデータ又は表示画面上の図面をディスプレイ上に表示させ、保全用情報端末の小型カメラの映像を防災総合表示盤の表示画面に表示するようにしたので、保全用情報端末の携帯者による救助現場や火災現場への安全な経路が容易にわかり、また、現場の状況が防災総合表示盤から容易にしかも正確に把握できる。
【００１４】
（４）本発明によれば、地中式建物内に防火区画された中央制御室に防災総合表示盤を設けたので、中央制御室を火災発生時における消防隊員の活動拠点とすることができ、地中式建物内における消防隊員の安全かつ適切な活動が可能になる。
【発明を実施するための最良の形態】
【００１５】
図１は本発明の実施の形態を示す防災総合システムの構成図、図２は本発明の実施の形態における地中式清掃工場の平面図画面の一例を示す図である。
本実施の形態の防災総合システムは、図１に示すように、地中式清掃工場の電気室に設けられた各種の動力制御盤１２及び非常用負荷制御盤１３と接続されたプラント監視盤１１（設備監視盤）と、同工場の各階の天井や高所に配置された複数台の可動式ＩＴＶカメラと接続された映像制御盤２１と、前記と同様に各階の天井や高所に一定の間隔で配置された複数台の基地局３２と接続された位置監視盤３１と、各階の天井や高所に配置された各種の火災感知器、ガス漏れ検知器や、発信機（押釦式）、地区ベル装置、防火ダンパ、排煙ファン、排煙口等と接続された防災監視盤４１と、前記と同様に各階の天井や高所に配置され、保全用情報端末５２と電波を介して接続される複数台の無線ＬＡＮアダプタ５１と、前述した各盤に通信線７１を介して接続されていると共に、無線ＬＡＮアダプタ５１に通信線７２を介して接続された防災総合表示盤６１とで構成されている。これらプラント監視盤１１、映像制御盤２１、位置監視盤３１、防災監視盤４１及び防災総合表示盤６１は、地中式清掃工場の中央制御室（図示せず）に設けられている。
【００１６】
プラント監視盤１１は、地中式清掃工場に設けられた各種の負荷設備の運転・制御を行うもので、前述したように各種の動力制御盤１２及び非常用負荷制御盤１３が接続されている。動力制御盤１２は、ガス化炉や灰溶融炉等の運転・制御を行うものであり、その周辺設備の計装用空気圧縮機、冷却水ポンプ、冷却用送風機等の監視・制御も行っている。非常用負荷制御盤１３は、非常用電源装置、非常用エレベータ、非常用給水装置等の駆動・制御を行うものである。
【００１７】
また、プラント監視盤１１は、本清掃工場を構築する地中式廃棄物ガス化溶融機械システムの全プロセスを示す系統図のグラフィック、そのシステムの一部分のプロセスを示す部分系統図のグラフィック等を、図示せぬ操作部からの操作に基づいてモニタ（図示せず）に表示し、各種の動力制御盤１２を通じてモニタのグラフィック上に本清掃工場の各種の常用負荷設備、ガス化炉や灰溶融炉、非常用負荷設備等の運転状態（運転、停止、異常）を表示する。これら設備を動力制御盤１２を介して遠隔操作でき、各種設備のうち例えばガス化炉や灰溶融炉、非常用負荷設備の運転状態を稼動情報として防災総合表示盤６１に伝送する。また、防災監視盤４１からの非常用負荷設備等の駆動命令を受けたときは、該当する設備負荷の駆動を非常用負荷制御盤１３を通じて行う。その駆動命令には、駆動対象の設備負荷を識別するためのデータが付加されている。
【００１８】
映像制御盤２１は、複数台のモニタ（図示せず）を備え、図示せぬ操作部の操作に基づいてＩＴＶカメラを起動し、その映像をモニタに表示する。また、防災総合表示盤６１のマウス操作による撮影命令が受信されたときは、その命令に基づくＩＴＶカメラを起動し、その映像信号を防災総合表示盤６１に伝送する。その撮影命令には、起動対象のＩＴＶカメラの識別番号がデータとして添付されている。
【００１９】
位置監視盤３１に接続された複数台の基地局３２は、電波を発しており、この電波を受信した例えばＰＨＳ（パーソナル・ハンディホーン・システム）からの電波をそれぞれ受信した際には、受信電波の強さに基づく信号を位置監視盤３１にそれぞれ伝送する。基地局３２から送出される信号には、ＰＨＳに設定されている識別番号と、その基地局３２に設定されている識別番号とがデータとして添付されている。位置監視盤３１は、基地局３２からのそれぞれの信号の強度を解析してＰＨＳ携帯者（従業員や消防隊員）の位置を特定すると共に、基地局３２の識別番号から階数を判別し、その位置及び階数、受信したＰＨＳの識別番号を位置情報として防災総合表示盤６１に伝送する。なお、各ＰＨＳ携帯者に通番を付与して、誰が何処にいるという位置情報を常時監視している。
【００２０】
防災監視盤４１は、火災感知器から発せられた信号を検知したとき、その信号を基に火災発生地区を判別し、必要な地区の地区ベル装置を鳴動して火災報知を行うと共に、その信号を基に連動させる防排煙設備があるときに、防火ダンパや排煙ファン等の連動制御を行う。そして、この防災処理に関わる防災処理情報を防災総合表示盤６１に伝送する。防災処理情報には、例えば、火災感知器が発した信号の系統番号及びその火災感知器の識別番号、火災報知の結果として鳴動させた地区ベル装置の識別番号、さらに、連動制御させた防排煙設備の防火ダンパ等の識別番号がデータとして含まれている。また、詳細に説明しないが、避難誘導設備や消火設備等の消防用設備は、防災監視盤４１に移報入力信号として取り込まれ、これらの移報入力信号のデータが含まれる。これらの系統番号及び識別番号は、火災発生地区の平面図及び該当するシンボルを防災総合表示盤６１に判別させるためのデータである。
【００２１】
保全用情報端末５２は、図示していないが、本体部と、小型カメラが内蔵された単眼式ヘッドマウント・ディスプレイと、イヤーホーンマイクと、手元操作部とで構成され、例えば消防隊員が装着する端末である。単眼式ヘッドマウント・ディスプレイを頭に取り付けた場合、そのディスプレイが片方の目の直前に位置するようになっている。この保全用情報端末５２は、手元操作部の操作によって、防災総合表示盤６１の記憶部６５に記憶されている各種の図面を単眼式ヘッドマウント・ディスプレイに表示したり、ＣＲＴ表示部６３に表示されているＩＴＶカメラの映像をそのディスプレイ上に表示したり、小型カメラで撮影した現場の映像を防災総合表示盤６１に送ったり、また、イヤーホーンマイクを用いて中央制御室側と通話ができるようになっている。
【００２２】
防災総合表示盤６１は、通信線７１と接続された通信部６２と、ＣＲＴ表示部６３と、制御部６４と、例えばハードディスクからなる記憶部６５と、マウス６６と、このマウス６６の操作に基づくポインタの位置情報及び選択情報を制御部６４に伝達する操作入力部６７と、無線ＬＡＮ用通信部６８とを備えている。前記の記憶部６５には、制御部６４の動作をプログラミングしたデータや、ＣＲＴ表示部６３上に映出する各種の画像データ等が格納されている。その画像データは、地中式清掃工場の各階の平面図及び断面図等の図面データ、これら図面を一覧化した図面テーブルのデータ、図面中に配置される場所名やガス化炉等の名称等の位置及びテキストデータ、図面中に配置される各種機器に対応するシンボルの図形データ、各種機器を一覧化して識別番号、位置及び機種の機器テーブルのデータ等からなっている。なお、前述した通信線７１は、プラント監視盤１１、映像制御盤２１、位置監視盤３１、防災監視盤４１及び防災総合表示盤６１を接続するための専用ネットワークであり、その他の情報と混在することによる弊害及び外部からの侵入を排除している。
【００２３】
防災総合表示盤６１の制御部６４は、防災監視盤４１からの防災処理情報を受信したとき、その防災処理情報に基づいて、火災発生地区の平面図及び表示事項を記憶部６５から読み込んでＣＲＴ表示部６３に表示し、かつ、必要な火災感知器等のシンボルの色を変化させる。同様に、プラント監視盤１１及び映像制御盤２１から各種設備機器の稼動状態を取り込んで、異常発生時にはシンボルを異常状態に表示すると共に、位置監視盤３１から各作業員の現在位置を取り込んで、該当位置にシンボル表示する。なお、前記のＣＲＴ表示部６３は、ＣＲＴに代えて液晶ディスプレイ、有機ＥＬ、プラズマディスプレイの何れであってもよい。
【００２４】
ＣＲＴ表示部６３の画面の基本構成は、例えば図２に示すように、グラフィックエリア６３ａと、メニューバー６３ｂと、時刻表示エリア６３ｃと、共通操作エリア６３ｄと、イベントリストエリア６３ｅと、システムメッセージエリア６３ｆと、キープラン表示エリア６３ｇとからなっている。グラフィックエリア６３ａは、前述した記憶部６５のデータに基づいて各階の平面図や拡大図等に必要なシンボル等を配置して表示するエリアであり、メニューバー６３ｂは、ガイダンス、シンボル凡例、取り扱い等のウインドウ表示の呼び出し操作や、保守操作等の指定を行うエリアであり、時刻表示エリア６３ｃは、現在の日時を表示するエリアである。
【００２５】
また、共通操作エリア６３ｄは、図中に示すように画面の切換や音響停止等、使用頻度の高い操作スイッチが配置されているエリアであり、イベントリストエリア６３ｅは、火災発生時等の各種イベントについて発報した日時や火災感知器の種別、出火場所等を表示するエリアであり、システムメッセージエリア６３ｆは、例えば「地下○階表示中」等のシステム状態を表示するエリアであり、キープラン表示エリア６３ｇは、グラフィックエリア６３ａに拡大図を表示したときに、その部分が把握できるように該当する平面図にその部分を示して表示するためのエリアである。
【００２６】
前記の制御部６４は、正常時でかつ図面表示の操作入力がない場合、ＣＲＴ表示部６３のグラフィックエリア６３ａに、図示していないが、「正常監視中」という語句のみを表示した状態にしており、この画面上でマウス６６のクリックを操作入力部６７を通じて検知したとき、また、共通操作エリア６３ｄ上の「メニュー」スイッチのクリックを検知したときは、前述した図面テーブルの画面を、図示していないが、枠を備えて表示されるいわゆるウィンドウ表示の形式でグラフィックエリア６３ａに表示する。この図面テーブルのウィンドウ表示は、詳細に示さないが、各図面に対して建物名称が記載されたスイッチの配列画面で、マウス６６によって何れか一つのスイッチが選択された場合は、その選択された図面をグラフィックエリア６３ａに表示するようになっている。
【００２７】
例えば、図面テーブルのウィンドウ表示の中から地下１２階の平面図のスイッチが選択された場合、制御部６４は、その階の平面図画面を記憶部６５から読み込んでグラフィックエリア６３ａに表示し（図２参照）、システムメッセージエリア６３ｆに「地下１２階表示中」のメッセージを表示し、また、キープラン表示エリア６３ｇにその平面図と同じ縮小平面図を表示する。この時、地下１２階に配置されている火災感知器、消火設備、防排煙設備やＩＴＶカメラ、非常用負荷設備等に対する各種シンボルを所定の色（例えば建物が灰褐色のときに白色）で表示する。なお、各シンボルには、設備毎等で通し番号が副えられている。図面テーブルのウィンドウ表示した際に警報の出ているエリアがあった場合は、該当するスイッチ全体を赤色で表示する。これは、本清掃工場内のどの場所に警報が出ているかを一目でわかるようにしたものである。
【００２８】
各種シンボルに対応する火災感知器や各種設備等が発報、作動、異常等により状態変化したときは、シンボルの色が白色から赤色又は黄色に変化する。この黄色に変化するものとして例えばＩＴＶカメラのシンボルである。炉室内に表示された「正常運転中」は、プラント監視盤１１から取り込んだ稼動情報として、炉（ガス化炉又は灰溶融炉）の運転状態を示し、異常時にはその旨を知らせる文字情報に切り換わる。
【００２９】
また、倉庫Ｂに表示されている「●Ｍ０２」と空調機械室内の「●Ｍ０４」は、ＰＨＳ携帯の作業員のシンボルで、例えば水色で表示している。このシンボルの配置は、位置監視盤３１からの位置情報に基づくもので、リアルタイムで表示している。なお、このシンボルに付与されている「Ｍ０２」と「Ｍ０４」は予め設定された作業員の通し番号である。各設備が正常な状態から火災発生等により防災監視盤４１等から異常事態を示す情報がある場合、その階の平面図画面を自動的にＣＲＴ表示部６３上に表示するようになっている。
【００３０】
前述した画面切換や、状態変化に基づくシンボルの色変化は制御部６４によって行われており、シンボル化した作業員の配置は、前述したように制御部６４が位置監視盤３１からの位置情報に基づいて表示したものである。また、この制御部６４は、平面図画面上に表示されているＩＴＶカメラのシンボルがマウス６６でクリックされた場合、そのＩＴＶカメラに設定された識別番号を撮影命令に添付して映像制御部２１に伝送し、これに応答する映像情報を受信してグラフィックエリア６３ａのなるべく空きエリアにウインドウ表示する。この時、クリックされたＩＴＶカメラのシンボルの色を、前述したように白色から黄色に変化させる。
【００３１】
また、制御部６４は、平面図画面上に消防隊員のシンボル（図２に図示せず）が表示された場合、そのシンボルを紫色で表示し、マウス６６によってそのシンボルがクリックされたときは、消防隊員が装着している保全用情報端末５２の小型カメラの映像を無線ＬＡＮアダプタ５１を通じて取り込み、グラフィックエリア６３ａ上にウインドウ表示する。この時、クリックされた消防隊員のシンボルの色を紫色から黄色に変化させる。なお、消防隊員は、保全用情報端末５２の他にＰＨＳを携帯している。
【００３２】
また、共通操作エリア６３ｄには、「プラント非常」スイッチ、「ＩＴＶ画像」スイッチ及び「位置特定」スイッチが配列されており、各スイッチにより各設備の情報を詳細に確認することができ、「プラント非常」スイッチがマウス６６の操作によりクリックされたときは、プラント非常用テーブル（図示せず）をＣＲＴ表示部６３のグラフィックエリア６３ａ上に表示する。この画面は、前述したようにガス化炉、灰溶融炉、非常用負荷設備の全名称が配列されたもので、通常は白色で表示されている。プラント監視盤１１を通じてその設備の作動、又は異常情報を検知したときに、該当する設備名称を赤色に変化させる。「ＩＴＶ映像」スイッチがクリックされたときは、ＩＴＶカメラ一覧テーブルの画面（図示せず）をグラフィックエリア６３ａ上に表示する。この画面は、前述したように本清掃工場の各階に配置されている全ＩＴＶカメラの一覧であり、マウス６６の操作によって選択することができ、この時、そのＩＴＶカメラによって撮影される映像をウインドウ表示する。また、「位置特定」スイッチがクリックされたときは、本清掃工場に点在する全員（作業員や消防隊員）の位置情報を位置監視盤３１から取り込んで、全員の位置及び詳細（例えば氏名）に関する一覧テーブルをグラフィックエリア６３ａのなるべく空きエリアにウィンドウ表示する。
【００３３】
次に、本実施の形態の防災総合システムにおける火災発生時の動作を図３乃至図６を用いて説明する。図３は火災発生時の平面図画面を示す図、図４は同一画面でのＩＴＶカメラの撮影による映像のウインドウ表示を示す図、図５は同一画面における従業員の避難状況を示す図、図６は同一画面に消防隊員の撮影による火災現場のウインドウ表示を示す図である。
【００３４】
例えば、地下１２階の倉庫Ｂに設置された火災感知器（煙感知器）が火災を感知して信号を発すると、防災監視盤４１は、火災感知器からの信号を受信し、その信号から火災発生地区を判別してその地区の地区ベル装置を鳴動し、この信号に応じて必要のある防排煙設備等を連動制御する。そして、この防災処理に関わる防災処理情報を防災総合表示盤６１に伝送する。
【００３５】
一方、防災総合表示盤６１は、防災監視盤４１からの防災処理情報を検知すると、その処理情報から火災発生地区の平面図を記憶部６５から読み込み、ＣＲＴ表示部６３のグラフィックエリア６３ａ上に図３に示す画面を表示する。この時、前記の防災処理情報から火災場所、作動した機器等を判別して、その状態を画面上のシンボルを通じて表示する。この場合は、火災を感知した通し番号「２２」が付与された煙感知器のシンボルの色を白色から赤色に変化させると共に、その煙感知器のシンボルの近傍に、火災発生を知らせるための炎マークを表示し、ベルが鳴っている通し番号「１」「２」が付与された地区ベル装置のシンボルの色を白色から赤色に変化させる。さらに、連動制御されて作動している通し番号「１」が付与された排煙ファンのシンボルの色を白色から赤色に変化させる。これによって、火災発生の第一報を明確にすることができる。
【００３６】
また、防災総合表示盤６１は、本清掃工場に点在するＰＨＳ携帯の作業員の位置情報を位置監視盤３１を通じて取り込んで、その位置情報に基づいて表示中の地下１２階に存在する作業員の現在位置を平面図画面上に水色（通し番号含む）で表示する（図３参照）。この作業員のシンボルは、前述したように作業員の移動に追従して表示位置が変化し（図４参照）、この画面を通して、出火階にいる作業員をＰＨＳや非常用放送で安全な避難経路に誘導できる。
【００３７】
また、作業員を避難させるときに、画面上に表示されている通し番号「３４」「３５」のＩＴＶカメラのシンボルをマウス操作によってクリックした場合、そのＩＴＶカメラのシンボルの色を白色から黄色に変化させると共に、そのＩＴＶカメラに設定されている識別番号を撮影命令に添付して映像制御盤２１に伝送する。その命令に基づくＩＴＶカメラからの映像信号が映像制御盤２１を通じて受信されたときは、図４に示すように画面上にウィンドウ表示する。このウィンドウ表示によって、より安全な避難経路への誘導が可能になり、その状態を図５に示す。
【００３８】
作業員の避難中或いは避難後に、ＰＨＳと保全用情報端末５２を携帯した消防隊員が本清掃工場に侵入すると、そのＰＨＳと複数の基地局３２との無線通信による位置情報を位置監視盤３１を通じて受信し消防隊員の位置を認識する。消防隊員が出火階の火災発生位置を確認しようとして、携帯している保全用情報端末５２の手元操作により、表示画面を要求することができ、無線ＬＡＮを利用するための無線ＬＡＮアダプタ５１を介して、防災総合表示盤６１の制御部６４が表示画面の要求を受けたときに、無線ＬＡＮ用通信部６８を介して表示画面のデータを送信し、保全用情報端末５２がそのデータを受信して、保全用情報端末５２の単眼式ヘッドマウント・ディスプレイ上に表示させる。この情報（平面図）提供により、消防隊員による火災現場への経路が安全で、かつ容易にわかる。なお、保全用情報端末５２の位置特定を無線ＬＡＮを用いて、ＰＨＳを使った場合と同様に行ってもよい。
【００３９】
そして、消防隊員が出火階（地下１２階）に到達したときは、図示していないが、位置情報に基づいて消防隊員（紫色）の位置を前記の平面図画面に表示し、図６に示すように、その消防隊員が火災現場の倉庫Ｂに侵入したときに、消防隊員が携帯する保全用情報端末５２に図示せぬ小型カメラ（ＣＣＤカメラ）を具備させ、現場の消防隊員から現場の映像を送信することを可能にしている。この現場の映像は、保全用情報端末５２から送信され、無線ＬＡＮアダプタ５１を介して防災総合表示盤６１が受信する。このように、現場の映像を受信したときに、グラフィックエリア６３ａ上の空きエリアにその映像をウィンドウ表示する。この防災総合表示盤６１と保全用情報端末５２とは双方向に情報の送受信が可能であり、防災総合表示盤６１が設けられる中央制御室から消防隊員へ音声データの送受信により会話することや、必要な情報のデータ送信が可能であり、現場の映像についても中央制御室から消防隊員に要求することができる。また、オンライン会議ソフトを導入して保全用情報端末５２と防災総合表示盤６１との間で通話可能にしてもよく、イヤホンマイクを装着して消防隊員の間で通話することも安全な作業に有用である。
【００４０】
以上のように本実施の形態によれば、防災監視盤４１からの防災処理情報を検知したとき、警報発生地区の平面面をＣＲＴ表示部６３に表示すると共に、地中式清掃工場の非常用負荷設備、火災感知器、消火設備及び防排煙設備のうちその平面図上に配置すべくそれらの設備をそれぞれシンボルで表示し、かつ、ＣＲＴ表示部６３の平面図上に防災処理情報及び稼動情報に基づき該当するシンボルの色を変えてその状況が判別できるようにし、また、位置監視盤３１からの位置情報に基づいてＣＲＴ表示部６３の平面図上に作業員の現在位置を表示するようにしたので、火災発生時の工場内の非常用負荷設備の稼動状況が容易に判別でき、また、作業員の避難状況が確認でき、安全な避難誘導を行うことが可能になる。
【００４１】
また、ＩＴＶカメラの映像を防災総合表示盤６１のＣＲＴ表示部６３にウィンドウ表示できるようにしたので、従業員の安全な避難経路を確認することができる。
【００４２】
さらに、消防隊員が携帯している保全用情報端末５２からの要求に基づく平面図や、ＣＲＴ表示部６３上の平面図をディスプレイ上に表示させ、保全用情報端末５２の小型カメラの映像を防災総合表示盤６１のＣＲＴ表示部６３上に表示するようにしたので、保全用情報端末５２の携帯者（消防隊員）による救助現場や火災現場への安全な経路が容易にわかり、また、現場の状況が防災総合表示盤６１から容易にしかも正確に把握できる。
【００４３】
また、地中式清掃工場内に防火区画された中央制御室に防災総合表示盤６１を設けたので、火災発生時、中央制御室を防災センタとして消防隊員の活動拠点とすることが可能になり、その工場内における消防隊員の安全かつ適切な活動が可能になる。
【００４４】
なお、前記の実施の形態では、防災総合表示盤６１に１台のＣＲＴ表示部６３を設けて、火災発生時の作業員の避難や、消防隊員の消火活動を後方から支援するようにしたが、２台のＣＲＴ表示部６３を接続し、一方をメインとして火災発生地区の平面図、他方をサブとして断面図を表示する等の使い分けるようにしてもよい。
【００４５】
また、ＰＨＳを位置特定用の道具として説明したが、ＰＨＳのディスプレイ上に例えば避難に必要な図面を記憶部６５から読み込んで表示させるようにしてもよい。
【００４６】
また、消防隊員に例えば心拍数を測定するセンサを装着させ、このセンサからの情報が保全用情報端末５２を通じてＣＲＴ表示部６３上に表示されるようにしてもよい。例えば、消防隊員の心拍数が異常に低下した場合、そのシンボルの色が紫色から赤色に変化させ、消防隊員の危険状態がわかるようにする。
【図面の簡単な説明】
【００４７】
【図１】本発明の実施の形態を示す防災総合システムの構成図である。
【図２】本発明の実施の形態における地中式清掃工場の平面図画面の一例を示す図である。
【図３】火災発生時の平面図画面を示す図である。
【図４】同一画面でのＩＴＶカメラの撮影による映像のウインドウ表示を示す図である。
【図５】同一画面における作業員の避難状況を示す図である。
【図６】同一画面に消防隊員の撮影による火災現場のウインドウ表示を示す図である。
【符号の説明】
【００４８】
１１  プラント監視盤、１２  動力制御盤、１３  非常用負荷制御盤、２１  映像制御盤、３１  位置監視盤、３２  基地局、４１  防災監視盤、５１  無線ＬＡＮアダプタ、５２  保全用情報端末、６１  防災総合表示盤、６２  通信部、６３  ＣＲＴ表示部、
６４  制御部、６５  記憶部、６６  マウス、６７  操作入力部、６８  無線ＬＡＮ用通信部、７１，７２  通信線。
【図１】
2005115796.tif 000003
【図２】
2005115796.tif 000004
【図３】
2005115796.tif 000005
【図４】
2005115796.tif 000006
【図５】
2005115796.tif 000007
【図６】
2005115796.tif 000008